(57)【要約】【課題】ＶＡ型液晶表示装置の視角問題点と、異なる視角に発生する光度不均衡の問題点を改善するＶＡ型液晶表示装置及びそのピクセル回路を提案する。【解決手段】各ピクセルを第一サブピクセルと第二サブピクセルに分け、第一サブピクセルの補助コンデンサの一端は結合電極電圧を提供する結合信号線に電気結合、第二サブピクセルの補助コンデンサの一端は共同電圧(Vcom)を提供する共同電圧線に電気結合しており、結合電極電圧の大きさと極性を制御することによって、第一サブピクセルの画素電圧と第二サブピクセルの画素電圧が異なるものとなる本発明のＶＡ型液晶表示装置及びそのピクセル回路を提案する。【選択図】図３
2007156379.tif 000002
【特許請求の範囲】
【請求項１】
一種ＶＡ(Vertically-aligned)型液晶表示装置のピクセル回路であり、第一サブピクセル及び第二サブピクセルを包含し、
第一サブピクセル(First subpixel)は、第一薄膜トランジスタ、第一液晶コンデンサ、及び第一補助コンデンサを含み、第一薄膜トランジスタのソース電極はデータ線と電気結合(Electrical connections)、第一薄膜トランジスタのゲート電極は制御線と電気結合、第一薄膜トランジスタのドレイン電極は第一液晶コンデンサの一方端及び第一補助コンデンサの一方端と電気結合し、
第二サブピクセル(Second subpixel)は、第二薄膜トランジスタ、第二液晶コンデンサ、及び第二補助コンデンサを含み、第二薄膜トランジスタのソース電極はデータ線と電気結合、第二薄膜トランジスタのゲート電極は制御線と電気結合、第二薄膜トランジスタのドレイン電極は第二液晶コンデンサの一方端及び第二補助コンデンサの一方端と電気結合し、
その内、第一補助コンデンサのもう一方端は結合電極電圧を提供する結合信号線と電気結合、第二補助コンデンサのもう一方端は共同電圧(Vcom)の共同電圧線に電気結合する故、第一サブピクセルの画素電圧と第二サブピクセルの画素電圧は異なるものとなることを特徴とする、ＶＡ型液晶表示装置のピクセル回路。
【請求項２】
請求項１記載のＶＡ型液晶表示装置のピクセル回路において、結合電極電圧は交流電圧、共同電圧(Vcom)は直流電圧とすることを特徴とする、ＶＡ型液晶表示装置のピクセル回路。
【請求項３】
請求項１記載のＶＡ型液晶表示装置のピクセル回路において、結合信号線の材質とデータ線の材質は同じであることを特徴とする、ＶＡ型液晶表示装置のピクセル回路。
【請求項４】
請求項１記載のＶＡ型液晶表示装置のピクセル回路において、制御線の材質と共同電圧線の材質は同じであることを特徴とする、ＶＡ型液晶表示装置のピクセル回路。
【請求項５】
請求項１記載のＶＡ型液晶表示装置のピクセル回路において、第一サブピクセルの画素電圧と第二サブピクセルの画素電圧の値の差は１〜３Ｖであることを特徴とする、ＶＡ型液晶表示装置のピクセル回路。
【請求項６】
請求項１記載のＶＡ型液晶表示装置のピクセル回路において、第一サブピクセルに異なる画素が出現した場合、結合信号線提供の結合電極電圧は相対して異なるものとなることを特徴とする、ＶＡ型液晶表示装置のピクセル回路。
【請求項７】
請求項１記載のＶＡ型液晶表示装置のピクセル回路において、結合信号線提供の結合電極電圧は、異なる極性と異なる大きさの電圧値に分けられることを特徴とする、ＶＡ型液晶表示装置のピクセル回路。
【請求項８】
請求項１記載のＶＡ型液晶表示装置のピクセル回路において、第一サブピクセルと第二サブピクセルは一つの基板上に配置、並びに第一サブピクセルと第二サブピクセルは碁盤の目状態に配置されることを特徴とする、ＶＡ型液晶表示装置のピクセル回路。
【請求項９】
一種ＶＡ型液晶表示装置であり、第一基板及び第二基板を包含し、
第一基板は、複数の突出(protrusion)と共同電極を含み、共同電極は第一基板の表面に位置、突出(protrusion)は共同電極の一部表面に具え、また、
第二基板は、複数の画素電極と複数のスリットを含み、その画素電極は第二基板の表面に位置、スリットは画素電極間に位置しており、第一基板と第二基板には複数のピクセルを形成、各ピクセルは更に第一サブピクセル及び第二サブピクセルを包含し、
第一サブピクセル(First subpixel)は、第一薄膜トランジスタ、第一液晶コンデンサ、及び第一補助コンデンサを含み、第一薄膜トランジスタのソース電極はデータ線と電気結合、第一薄膜トランジスタのゲート電極は制御線と電気結合、第一薄膜トランジスタのドレイン電極は第一液晶コンデンサの一端及び第一補助コンデンサの一端と電気結合し、また、
第二サブピクセル(Second subpixel)は、第二薄膜トランジスタ、第二液晶コンデンサ、及び第二補助コンデンサを含んでおり、その第二薄膜トランジスタのソース電極はデータ線と電気結合、第二薄膜トランジスタのゲート電極は制御線と電気結合、第二薄膜トランジスタのドレイン電極は第二液晶コンデンサの一端及び第二補助コンデンサの一端と電気結合し、
その内、第一補助コンデンサのもう一方端は結合電極電圧を提供する結合信号線と電気結合、第二補助コンデンサのもう一方端は共同電圧(Vcom)を提供する共同電圧線に電気結合することにより、第一サブピクセルの画素電圧と第二サブピクセルの画素電圧は異なるものとなることを特徴とする、ＶＡ型液晶表示装置。
【請求項１０】
請求項９記載のＶＡ型液晶表示装置において、結合電極電圧は交流電圧、共同電圧(Vcom)は直流電圧であることを特徴とする、ＶＡ型液晶表示装置。
【請求項１１】
請求項９記載のＶＡ型液晶表示装置において、結合信号線の材質とデータ線の材質は同様であることを特徴とする、ＶＡ型液晶表示装置。
【請求項１２】
請求項９記載のＶＡ型液晶表示装置において、制御線の材質と共同電圧線の材質は同様であることを特徴とする、ＶＡ型液晶表示装置。
【請求項１３】
請求項９記載のＶＡ型液晶表示装置において、第一サブピクセルの画素電圧と第二サブピクセルの画素電圧の値の差は１〜３Ｖであることを特徴とする、ＶＡ型液晶表示装置。
【請求項１４】
請求項９記載のＶＡ型液晶表示装置において、第一サブピクセルに異なる画素が出現した場合、結合信号線提供の結合電極電圧は相対して異なるものとなることを特徴とする、ＶＡ型液晶表示装置。
【請求項１５】
請求項９記載のＶＡ型液晶表示装置において、結合信号線提供の結合電極電圧は異なる極性と異なる大きさの電圧値に分けられることを特徴とする、ＶＡ型液晶表示装置。
【請求項１６】
請求項９記載のＶＡ型液晶表示装置において、第一サブピクセルと第二サブピクセルは碁盤の目状態に配置されることを特徴とする、ＶＡ型液晶表示装置。
【発明の詳細な説明】
【技術分野】
【０００１】
本発明は、液晶表示装置に関するもので、特にＶＡ型液晶表示装置及びそのピクセル回路を提案するものである。
【背景技術】
【０００２】
現在一般に見られる液晶駆動方式は、ＴＮ(Twisted Nematic)モード及びＶＡ(Vertically-aligned)モードの二種類である。
ＴＮ駆動の場合は、液晶表示装置の液晶はいかなる電場も加えないという状況においては旋回することがない為、バックライトの光が液晶及び偏光板を通過すると、ディスプレイ画面が真っ白になる、所謂“Normally White”現象が起こる。
ＴＮ液晶表示装置に関する技術がここ数年来飛躍的な発展を見せており、ＴＮ液晶表示装置のコントラストとカラー強度（saturation）は伝統的なドライバ（例えばＣＲＴディスプレイ）に比べて優れてはいるが、ＴＮ液晶表示装置にも視角範囲が比較的狭いという決定的な欠点がある為、その応用範囲は制限されてしまう。
【０００３】
ＶＡ駆動の場合、液晶表示装置の液晶はいかなる電場も加えないという状況の下、旋回することがない為、バックライトの光源が液晶に遮られて液晶及び偏光板を通過しなく、ディスプレイの画面は真っ黒になる所謂“Normally black”現象が起こる。
表示状態では、ＶＡ液晶表示装置のコントラスト度はＴＮ液晶表示装置のより高く、また、ＶＡ液晶表示装置の反応時間も比較的早く、ホワイト画面及びブラック画面に対しても良好な広視野角を持つ。以上のような点から、ＶＡ液晶表示装置は現在最も注目されている新型液晶表示装置である。
しかしＶＡ液晶表示装置は、各液晶が異なる複屈折（Birefringence of sub- strate）特性を持つ故、表示視角の光度不均衡が問題点である。
【０００４】
図１に従来のＭＶＡ（Multi-Domain Vertical Alignment）液晶表示装置の構造図を示す。それは一つのサブピクセル1の構造図であり、図１は、第一基板11、第二基板12を含む。第一基板11、第二基板12間には複数の液晶分子141、142を具え、第一基板11表面上には共同電極111をメッキし、共同電極111の表面には複数の突出(protrusion)13を設ける。第二基板12の表面には画素電極121をメッキしてあり、その画素電極121の間には複数のスリット15を具える。
従来のＭＶＡ液晶表示装置のすべてのピクセルは、同一のグレー状態である時、サブピクセルの液晶分子の傾斜角度は同様となる。例えば図1中の液晶分子141、142の傾斜角度と液晶分子143、144の傾斜角度は同様である。傾斜角度がどのようにして同様になるかは下記に説明する。
【０００５】
図２に、従来品ＭＶＡ液晶表示装置の一つのピクセル2回路図を示す。それは、サブピクセル21、22を含み、サブピクセル21は、薄膜トランジスタ211、補助コンデンサ（Cs2）212、共同電圧(Vcom)213及び液晶コンデンサ(Clc) 214を含み、サブピクセル22は、薄膜トランジスタ221、補助コンデンサ(Cs2) 222、共同電圧(Vcom)223及び液晶コンデンサ(CLC)224を含む。
【０００６】
上記共同電圧(Vcom)213、223は、共同電極が提供しており、共同電極は、固定し変化しない共同電圧(Vcom:Common Vottage)を提供する。液晶コンデンサ(CLC)214、224は、共同電極、画素電極とそれらの間に挟まれる液晶によって構成され、画素電極は操作電圧を提供する故、共同電圧値と操作電圧値の差を制御することにより液晶層中の電場を制御、更に液晶分子の回転を制御する。
補助コンデンサ212、222を同様の共同電圧に結合、液晶コンデンサ(CLC)214、224の値がほとんど同等である為、同一のグレーにおいては、サブピクセル21の液晶分子の傾斜角度はサブピクセル22の液晶分子の傾斜角度とほぼ同等となる。
【発明の開示】
【発明が解決しようとする課題】
【０００７】
しかしながら、図1、図2に示したＭＶＡ液晶表示装置は、面板の光度不均衡が発生、並びに品質低下を招く為、これらの問題点をいかに克服するかが目前の大きな課題となっている。
【０００８】
本発明の主要目的は、ＶＡ型液晶表示装置及びそのピクセル回路を提案し、ＶＡ型液晶表示装置の視角問題改善にある。
本発明のもう一つの目的は、ＶＡ型液晶表示装置及びそのピクセル回路を提案し、異なる視角に発生する光度不均衡の問題改善にある。
【０００９】
ピクセル回路には第一サブピクセルと第二サブピクセルを含み、その第一サブピクセルは、第一薄膜トランジスタ、第一液晶コンデンサ、及び第一補助コンデンサを含み、第一薄膜トランジスタのソース電極はデータ線と電気結合、第一薄膜トランジスタのゲート電極は制御線と電気結合、第一薄膜トランジスタのドレイン電極は第一液晶コンデンサの一端及び第一補助コンデンサの一端と電気結合する。前記第二サブピクセルは、第二薄膜トランジスタ、第二液晶コンデンサ、及び第二補助コンデンサを含み、第二薄膜トランジスタのソース電極はデータ線と電気結合、第二薄膜トランジスタのゲート電極は制御線と電気結合、第二薄膜トランジスタのドレイン電極は第二液晶コンデンサの一端及び第二補助コンデンサの一端と電気結合、その内、第一補助コンデンサのもう一方の端は結合電極電圧を提供する結合信号線と電気結合、第二補助コンデンサのもう一方端は共同電圧(Vcom)の共同電圧線に電気結合する故、第一サブピクセルの画素電圧と第二サブピクセルの画素電圧は異なるものとなる。
【００１０】
ＶＡ型液晶表示装置は、第一基板と第二基板を含み、その第一基板は複数の突出(protrusion)と共同電極を含んでおり、共同電極は第一基板の表面に位置、突出(protrusion)は共同電極の一部表面に具える。前記第二基板は、複数の画素電極と複数のスリットを含み、その画素電極は第二基板の表面に、スリットは画素電極間に位置しており、第一基板と第二基板には複数のピクセルを形成、各ピクセルは第一サブピクセルと第二サブピクセルを含んだもので、その第一サブピクセルは、第一薄膜トランジスタ、第一液晶コンデンサ、及び第一補助コンデンサを含み、第一薄膜トランジスタのソース電極はデータ線と電気結合、第一薄膜トランジスタのゲート電極は制御線と電気結合、第二薄膜トランジスタのドレイン電極は第一液晶コンデンサの一端及び第一補助コンデンサの一端と電気結合する。前記第二サブピクセルは、第二薄膜トランジスタ、第二液晶コンデンサ、及び第二補助コンデンサを含んでおり、その第二薄膜トランジスタのソース電極はデータ線と電気結合、第二薄膜トランジスタのゲート電極は制御線と電気結合、第一薄膜トランジスタのドレイン電極は第二液晶コンデンサの一端及び第二補助コンデンサの一端と電気結合、その内、第一補助コンデンサのもう一方端は結合電極電圧を提供する結合信号線と電気結合、第二補助コンデンサのもう一方端は共同電圧(Vcom)を提供する共同電圧線と電気結合することにより、第一サブピクセルの画素電圧と第二サブピクセルの画素電圧は異なるものとなる。
【００１１】
前記結合電極電圧は交流電圧で、共同電圧(Vcom)は直流電圧である。
【００１２】
実施例において、結合信号線の材質とデータ線の材質は同様で、また制御線と共同電圧線の材質は同様である。
【００１３】
前記第一サブピクセルの画素電圧と第二サブピクセルの画素電圧の値の差は1〜３Ｖで、第一サブピクセルと第二サブピクセルは、第二基板上に配置、第一サブピクセルと第二サブピクセルは、碁盤の目状態に配置される。第一サブピクセルに異なる画素が出現すると、結合信号線提供の結合電極電圧もまた相対して異なったものとなる。また、結合信号線提供の結合電極電圧は異なる極性と異なる大きさの電圧値に分けることができる。
【課題を解決するための手段】
【００１４】
請求項１の発明は、一種ＶＡ型液晶表示装置のピクセル回路を包含し、
第一サブピクセル(First subpixel)は、第一薄膜トランジスタ、第一液晶コンデンサ、及び第一補助コンデンサを含み、第一薄膜トランジスタのソース電極はデータ線と電気結合(Electrical connections)、第一薄膜トランジスタのゲート電極は制御線と電気結合、第一薄膜トランジスタのドレイン電極は第一液晶コンデンサの一端及び第一補助コンデンサの一端と電気結合する、
第二サブピクセル(Second subpixel)は、第二薄膜トランジスタ、第二液晶コンデンサ、及び第二補助コンデンサを含み、第二薄膜トランジスタのソース電極はデータ線と電気結合、第二薄膜トランジスタのゲート電極は制御線と電気結合、第二薄膜トランジスタのドレイン電極は第二液晶コンデンサの一端及び第二補助コンデンサの一端と電気結合、
その内、第一補助コンデンサのもう一方の端は結合電極電圧を提供する結合信号線と電気結合、第二補助コンデンサのもう一方端は共同電圧(Vcom)の共同電圧線に電気結合する故、第一サブピクセルの画素電圧と第二サブピクセルの画素電圧は異なるものとなることを特徴とする、ＶＡ型液晶表示装置のピクセル回路としている。
請求項２の発明は、請求項１記載のＶＡ型液晶表示装置のピクセル回路において、結合電極電圧は交流電圧、共同電圧(Vcom)は直流電圧とすることを特徴とする、ＶＡ型液晶表示装置のピクセル回路としている。
請求項３の発明は、請求項１記載のＶＡ型液晶表示装置のピクセル回路において、結合信号線の材質とデータ線の材質は同じであることを特徴とする、ＶＡ型液晶表示装置のピクセル回路としている。
請求項４の発明は、請求項１記載のＶＡ型液晶表示装置のピクセル回路において、制御線の材質と共同電圧線の材質は同じであることを特徴とする、ＶＡ型液晶表示装置のピクセル回路としている。
請求項５の発明は、請求項１記載のＶＡ型液晶表示装置のピクセル回路において、第一サブピクセルの画素電圧と第二サブピクセルの画素電圧の値の差は１〜３Ｖであることを特徴とする、ＶＡ型液晶表示装置のピクセル回路としている。
請求項６の発明は、請求項１記載のＶＡ型液晶表示装置のピクセル回路において、第一サブピクセルに異なる画素が出現した場合、結合信号線提供の結合電極電圧は相対して異なるものとなることを特徴とする、ＶＡ型液晶表示装置のピクセル回路としている。
請求項７の発明は、請求項１記載のＶＡ型液晶表示装置のピクセル回路において、結合信号線提供の結合電極電圧は、異なる極性と異なる大きさの電圧値に分けられることを特徴とする、ＶＡ型液晶表示装置のピクセル回路としている。
請求項８の発明は、請求項１記載のＶＡ型液晶表示装置のピクセル回路において、第一サブピクセルと第二サブピクセルは一つの基板上に配置、並びに第一サブピクセルと第二サブピクセルは碁盤の目状態に配置されることを特徴とする、ＶＡ型液晶表示装置のピクセル回路としている。
【００１５】
請求項９の発明は、一種ＶＡ型液晶表示装置を包含し、
第一基板は、複数の突出(protrusion)と共同電極を含んでおり、共同電極は第一基板の表面に位置、突出(protrusion)は共同電極の一部表面に具え、また、
第二基板は、複数の画素電極と複数のスリットを含み、その画素電極は第二基板の表面に位置、スリットは画素電極間に位置しており、第一基板と第二基板には複数のピクセルを形成、各ピクセルを包含し、
第一サブピクセル(First subpixel)は、第一薄膜トランジスタ、第一液晶コンデンサ、及び第一補助コンデンサを含み、第一薄膜トランジスタのソース電極はデータ線と電気結合、第一薄膜トランジスタのゲート電極は制御線と電気結合、第一薄膜トランジスタのドレイン電極は第一液晶コンデンサの一端及び第一補助コンデンサの一端と電気結合、また、
第二サブピクセル(Second subpixel)は、第二薄膜トランジスタ、第二液晶コンデンサ、及び第二補助コンデンサを含んでおり、その第二薄膜トランジスタのソース電極はデータ線と電気結合、第二薄膜トランジスタのゲート電極は制御線と電気結合、第二薄膜トランジスタのドレイン電極は第二液晶コンデンサの一端及び第二補助コンデンサの一端と電気結合、
その内、第一補助コンデンサのもう一方端は結合電極電圧を提供する結合信号線と電気結合、第二補助コンデンサのもう一方端は共同電圧(Vcom)を提供する共同電圧線に電気結合することにより、第一サブピクセルの画素電圧と第二サブピクセルの画素電圧は異なるものとなることを特徴とする、ＶＡ型液晶表示装置としている。
請求項１０の発明は、請求項９記載のＶＡ型液晶表示装置において、結合電極電圧は交流電圧、共同電圧(Vcom)は直流電圧であることを特徴とする、ＶＡ型液晶表示装置としている。
請求項１１の発明は、請求項９記載のＶＡ型液晶表示装置において、結合信号線の材質とデータ線の材質は同様であることを特徴とする、ＶＡ型液晶表示装置としている。
請求項１２の発明は、請求項９記載のＶＡ型液晶表示装置において、制御線の材質と共同電圧線の材質は同様であることを特徴とする、ＶＡ型液晶表示装置としている。
請求項１３の発明は、請求項９記載のＶＡ型液晶表示装置において、第一サブピクセルの画素電圧と第二サブピクセルの画素電圧の値の差は１〜３Ｖであることを特徴とする、ＶＡ型液晶表示装置としている。
請求項１４の発明は、請求項９記載のＶＡ型液晶表示装置において、第一サブピクセルに異なる画素が出現した場合、結合信号線提供の結合電極電圧は相対して異なるものとなることを特徴とする、ＶＡ型液晶表示装置としている。
請求項１５の発明は、請求項９記載のＶＡ型液晶表示装置において、結合信号線提供の結合電極電圧は異なる極性と異なる大きさの電圧値に分けられることを特徴とする、ＶＡ型液晶表示装置としている。
請求項１６の発明は、請求項９記載のＶＡ型液晶表示装置において、第一サブピクセルと第二サブピクセルは碁盤の目状態に配置されることを特徴とする、ＶＡ型液晶表示装置としている。
【発明の効果】
【００１６】
本発明のＶＡ型液晶表示装置及びそのピクセル回路は、各ピクセルを第一サブピクセルと第二サブピクセルに分け、第一サブピクセルの補助コンデンサの一端は結合電極電圧を提供する結合信号線に電気結合、第二サブピクセルの補助コンデンサの一端は共同電圧(Vcom)を提供する共同電圧線に電気結合しており、結合電極電圧の大きさと極性を制御することによって、第一サブピクセルの画素電圧と第二サブピクセルの画素電圧が異なるものとなり、また、第一サブピクセルに属する液晶分子の傾斜角度と第二サブピクセルに属する液晶分子の傾斜角度も異なるものとなるという特徴をもつ。それにより、異なる視角における光度不均衡の問題点を改善するのに効果的である。
【発明を実施するための最良の形態】
【００１７】
図３に、本発明のＶＡ型液晶表示装置及びそのピクセルの回路図を示す。ピクセル3は、サブピクセル301、302の他、データ線31、制御線(Vg)32、共同電圧線(Vcom)33、結合信号線(Vcs2)34、薄膜トランジスタ351、352、液晶コンデンサ361、362、補助コンデンサ371、372を含む。
【００１８】
前記薄膜トランジスタ351、352のソース電極はデータ線31と電気結合(Electrical Connections)し、薄膜トランジスタ351、352のゲート電極は制御線32と電気結合、薄膜トランジスタ351、352のドレイン電極はそれぞれ液晶コンデンサ361、362の一端及び補助コンデンサ371、372の一端と電気結合、補助コンデンサ371のもう一端は結合信号線34と電気結合、補助コンデンサ372のもう一端は共同電圧線33と電気結合する。
【００１９】
本実施例において、結合信号線34の材質とデータ線31の材質は同じものとし、制御線32の材質と共同電圧線33の材質も同じである。この他、本実施例において、結合信号線34は実際、結合電極により形成されており、結合電極は下基板中に位置、突出(protrusion)は上基板に位置し、結合電極は突出(protrusion)の下方に位置することにより、サブピクセル301の開口率を改善する。また、結合電極の幅は突出(protrusion)の幅より小さい。本実施例において、サブピクセル301の開口率は、サブピクセル302より小さいか等しく、即ち、サブピクセル301の開口率はサブピクセル302の開口率以下である。
【００２０】
前記共同電圧線33は、固定した共同電圧を提供するもので、その共同電圧は直流電圧である。結合信号線34は結合電極電圧を提供するもので、その結合電極電圧は交流電圧である。本実施例において、共同電圧と結合電極電圧の大きさは異なり、且つ補助コンデンサ371と結合信号線34は電気結合、補助コンデンサ372は共同電圧線33と電気結合する為、全サブピクセル301の画素電圧とサブピクセル302の画素電圧は異なる。
【００２１】
前記サブピクセル301、302の画素電圧は、下記公式に基づいて得られる。
Vp1 = (Cs1/(Csl+Clc+Cgd)) * Vcs(n) + Vsig
Vp2 = Vsig
その内Vp1は、サブピクセル301の画素電圧、Vp2はサブピクセル302の画素電圧、Vsigはデータ線31が提供する操作電圧、Vcs(n)は結合信号線34が提供する結合電極電圧、Cs1は補助コンデンサ371、Clcは液晶コンデンサ361、Cgdは薄膜トランジスタ351のゲート電極ドレイン電極間のコンデンサである。
【００２２】
ここで注意していただきたいのは、サブピクセル301が異なる画素を出現させた場合、前記結合電極電圧(Vcs(n))の値は相対して異なるものとなることである。本実施例において、結合電極電圧は赤(+)、緑(-)、青(+)、赤(-)、緑(+)、及び青(-)等異なる極性と異なる大きさの電圧値に分類されて、赤、緑、青等異なる原色色調曲線を調節する。この他、本実施例において、サブピクセル301が青を出現させた場合、その結合電極電圧は、サブピクセル301が他の原色（赤または緑）を出現させた場合の結合電極電圧より小さくなる。
よって、結合信号線34提供の結合電極電圧を制御することによって、サブピクセル301の画素電圧とサブピクセル302の画素電圧が異なったものとなり、更にサブピクセル301が属する液晶分子の傾斜角度とサブピクセル302が属する液晶分子の傾斜角度が異なったものとなる。
本実施例において、サブピクセル301の画素電圧とサブピクセル302の画素電圧の値の差は良好で、1〜3Vである。また、サブピクセル301の属する液晶分子の傾斜角度は良好で、サブピクセル302の属する液晶分子と垂直になる。
【００２３】
また、図４に、ピクセル画素電圧の波形グラフを示す。以下の説明に際し、図３も併せて参照していただきたい。図４において、A1はサブピクセル301の画素電圧の波形、A2はデータ線31が提供するソース電極電圧の波形、B1はサブピクセル302の画素電圧の波形、B2はデータ線31が提供するソース電極電圧の波形である。
ピクセル3の一部画素電圧（例えばサブピクセル301の画素電圧）は、データ線31の提供するソース電極電圧を充電した後、補助コンデンサ371を結合電極電圧に結合してアップする（A1参照）。それに相対して、サブピクセル302の補助コンデンサ372と共同電圧線33を結合する為、サブピクセル302の画素電圧は、データ線31の提供するソース電極電圧を充電した後は再びアップすることがない。
よって、補助コンデンサ371を結合電極電圧を提供する結合信号線34に結合することにより、サブピクセル301の画素電圧とサブピクセル302の画素電圧を異なるものとする。
【００２４】
図５にＶＡ液晶表示装置の断面図を示す。それはガラス基板511、512を構成要素とし、そのガラス基板511、512間には、負の誘電率の逆位相(anti-phase)を具える液晶分子521、522、523、524を含む負液晶層52を設ける。
ガラス基板511には、一層のカラーフィルター53、その上には共同導電層54を設け、共同導電層54の一部表面上には、複数の突出(protrusion)551、552、553を設ける。
ガラス基板512にはゲート絶縁層56を、ゲート絶縁層56上には保護層57を、ガラス基板512とゲート絶縁層56間には共同電極581を設け、それにより第二補助コンデンサを電気結合する（図３の補助コンデンサ372参照）。ゲート絶縁層56と保護層57間には結合電極582を設け、それにより第一補助コンデンサを電気結合する（図３補助コンデンサ371参照）。
前記保護層57上に設けた複数の画素電極591、592、593、594、595、596及び保護層57の一部は、ＶＡ層60によって覆われる。その画素電極591、592、593、594、595、596間には、複数のスリット501、502、503を設ける。同一ピクセルにおいて、本発明は、第一サブピクセルの補助コンデンサと結合電極電圧を提供する結合信号線（結合電極582により形成）を相互結合、並びに、その第二サブピクセルの補助コンデンサと共同電圧を提供する共同電圧線を相互に結合することにより、第一サブピクセルの画素電圧と第二サブピクセルの画素電圧が異なるものとなり、また、第一サブピクセルに属する液晶分子の傾斜角度と第二サブピクセルに属する液晶分子の傾斜角度は異なるものなるものとなる為、ＶＡ型液晶表示装置の光度不均衡問題を改善する。
【００２５】
図６に、本発明ＶＡ型液晶表示装置のピクセル回路の配線図を示す。それは、サブピクセル61、サブピクセル62、薄膜トランジスタ63、補助コンデンサ(Cs1)に電気結合した結合電極64、補助コンデンサ(Cs1)に電気結合した共同電極65、ゲートバスライン（制御線）66、データ線67、結合電極(Cs1)バスライン68、及び共同電極(Cs2)バスライン69により構成される。
前記サブピクセル61、サブピクセル62、薄膜トランジスタ63、補助コンデンサに電気結合した結合電極64、補助コンデンサに電気結合した共同電極65、ゲートバスライン66、データ線67、結合電極バスライン68及び共同電極バスライン69は皆、図５中のガラス基板512上に配置され、且つ、サブピクセル61、62は碁盤の目状態に配置される。
前記結合電極バスライン68は結合電極64と電気結合、共同電極バスライン69は共同電極65と電気結合、前記結合電極64と共同電極65はゲートバスライン66と平行する。
【００２６】
図７〜１０に、本発明のＶＡ型液晶表示装置と従来のＶＡ型液晶表示装置の比較グラフを示す。図７は従来品ＶＡ型液晶表示装置のV-T曲線グラフである。図８は、本発明に関するＶＡ型液晶表示装置のV-T曲線グラフである。その内補助コンデンサ(Cs1)に提供する電圧は±1.5Vで、図７と図８を比較すれば明らかであるように、本発明のＶＡ型液晶表示装置が確実に従来のＶＡ型液晶表示装置の欠点を改善したことがわかる。図９は従来品ＶＡ型液晶表示装置の色調曲線グラフ、図１０は本発明に関するＶＡ型液晶表示装置の色調曲線グラフであり、その中で、補助コンデンサ(Cs1)に提供する電圧は±1.5Vである。図９と図１０を比較すれば明らかなように、本発明のＶＡ型液晶表示装置の性能は確実に従来品より良好であることがわかる。
【図面の簡単な説明】
【００２７】
【図１】従来のＭＶＡ（Multi-Domain Vertical Alignment）液晶表示装置の構造図である。
【図２】従来品ＭＶＡ液晶表示装置の一つのピクセル回路図である。
【図３】本発明に関するＶＡ型液晶表示装置ピクセルの実施例回路図である。
【図４】本発明に関するＶＡ型液晶表示装置ピクセルの実施例画素電圧波形グラフである。
【図５】本発明に関するＶＡ液晶表示装置の実施例断面図である。
【図６】本発明に関するＶＡ型液晶表示装置のピクセル回路の配線図である。
【図７】従来品ＶＡ型液晶表示装置のV-T曲線グラフである。
【図８】本発明に関するＶＡ型液晶表示装置のV-T曲線グラフである。
【図９】従来品ＶＡ型液晶表示装置の色調曲線グラフである。
【図１０】本発明に関するＶＡ型液晶表示装置の色調曲線グラフである。
【符号の説明】
【００２８】
11    第一基板
111   共同電極
12    第二基板
121、591、592、593、594、595、596        画素電極
13、551、552、553                        突出(protrusion)
141、142、143、144、521、522、523、524   液晶分子
15、501、502、503                        スリット
2、3                                    ピクセル
1、21、22、301、302、61、62             サブピクセル
211、221、351、352、63                  薄膜トランジスタ（TFT）
212、222、371、372                      補助コンデンサ
213、223              共同電圧
214、224、361、362    液晶コンデンサ
31、67                データ線
32                    制御線
33                    共同電圧線
34                    結合信号線
511、512              ガラス基板
52                    液晶層
53                    カラーフィルター
54                    共同導電層
56                    ゲート(ゲート電極)絶縁層
57                    保護層
581、65               共同電極
582、64               結合電極
60                    ＶＡ層
66                    ゲートバスライン(Gate Bus line)
68                    結合電極バスライン
69                    共同電極バスライン
【図１】
2007156379.tif 000003
【図２】
2007156379.tif 000004
【図３】
2007156379.tif 000005
【図４】
2007156379.tif 000006
【図５】
2007156379.tif 000007
【図６】
2007156379.tif 000008
【図７】
2007156379.tif 000009
【図８】
2007156379.tif 000010
【図９】
2007156379.tif 000011
【図１０】
2007156379.tif 000012